(57)【要約】【課題】  アナログ放送の受信において、簡易な構成で効果的に隣接妨害の影響を除去することが可能なテレビ放送受信機を提供する。【解決手段】  隣接妨害信号がアナログ信号である場合には、狭帯域のトラップ特性である第１のＳＡＷＦユニット１１を用いて妨害信号を除去し、隣接妨害信号がデジタル信号である場合には、広帯域のトラップ特性である第２のＳＡＷＦユニット１２を用いて妨害信号を除去する。【選択図】        図２
2007036382.tif 000002
【特許請求の範囲】
【請求項１】
入力されたアナログ放送信号を受信するためのアナログチューナと、
前記アナログチューナで受信したアナログ放送信号に対して希望するチャンネル以外の雑音成分を除去する表面弾性波フィルタ部と、
前記表面弾性波フィルタ部で除去されたアナログ放送信号に対して信号処理を実行する信号処理部とを備え、
前記表面弾性波フィルタ部は、希望するチャンネルに隣接するチャンネルがアナログ放送信号である場合には、狭帯域幅で雑音成分を除去し、希望するチャンネルに隣接するチャンネルがデジタル放送信号である場合には、広帯域幅で雑音成分を除去する、テレビ放送受信機。
【請求項２】
前記表面弾性波フィルタ部は、
前記アナログチューナの出力信号に対して、狭帯域幅で雑音成分を除去するための第１の表面弾性波フィルタと、
前記アナログチューナの出力信号に対して、広帯域幅で雑音成分を除去するための第２の表面弾性波フィルタと、
前記第１および第２の表面弾性波フィルタとを切り替えるスイッチとを含み、
前記スイッチを制御する制御部をさらに備え、
前記制御部は、希望するチャンネルを選択する際に、隣接するチャンネルが所定のデジタル放送信号である場合には、前記第１の表面弾性波フィルタを前記第２の表面弾性波フィルタに切り替える、請求項１記載のテレビ放送受信機。
【請求項３】
前記表面弾性波フィルタ部は、
前記アナログチューナの出力信号に対して、狭帯域幅で雑音成分を除去するための第１の表面弾性波フィルタと、
前記アナログチューナの出力信号に対して、広帯域幅で雑音成分を除去するための第２の表面弾性波フィルタと、
前記第１および第２の表面弾性波フィルタとを切り替えるスイッチとを含み、
入力されたデジタル放送信号を受信するためのデジタルチューナと、
前記スイッチを制御する制御部とをさらに備え、
前記制御部は、アナログ放送信号の希望するチャンネルを選択する際に、前記デジタルチューナで受信する隣接するチャンネルがデジタル放送信号である場合には、前記第１の表面弾性波フィルタを前記第２の表面弾性波フィルタに切り替える、請求項１記載のテレビ放送受信機。
【発明の詳細な説明】
【技術分野】
【０００１】
本発明は、テレビ放送受信機に関し、特にアナログ放送信号の受信の際にチューナから出力される希望チャンネルの信号以外の隣接チャンネルの妨害信号を減衰させるＳＡＷフィルタに関する。
【背景技術】
【０００２】
近年、地上波デジタルの普及によりアナログ放送と、デジタル放送とが混在する環境が一般的になってきている。日本、欧州で採用されている地上波デジタル方式は直交周波数分割多重方式（ＯＦＤＭ（Orthogonal Frequency Division Multiplexing））が採用されており、６ＭＨｚ程度の広帯域が占有されている状況である。
【０００３】
従来のテレビ放送受信機においては、選局した中間周波信号の中から隣接チャンネルの周波数成分を除去し、所望のチャンネルの周波数成分のみを抽出するフィルタとして、表面弾性波フィルタ（ＳＡＷ（Surface Acoustic Wave）フィルタ）が用いられてきた。
【０００４】
しかしながら、アナログ放送を希望信号、デジタル放送を隣接妨害信号とした場合、デジタル放送の帯域は上述したように広帯域であるため妨害信号周波数を特定することが難しく、広帯域の妨害成分を減衰させることができないためその結果、アナログ放送を視聴中に隣接するデジタル放送からの妨害で映像や音声が乱れ、ノイズが発生する問題があった。
【０００５】
特許文献１および２においては、隣接妨害の厳しい条件での使用が想定される場合には、ＳＡＷフィルタだけでは十分に隣接チャンネルに対してその妨害量を減衰させることが難しいため、トラップ回路あるいは減衰回路等と組み合わせて減衰量を改善して隣接妨害信号の影響を除去する方式が開示されている。
【特許文献１】特開平７−３３６５６４号公報
【特許文献２】特開平８−１６３４５４号公報
【発明の開示】
【発明が解決しようとする課題】
【０００６】
一方、デジタル放送を希望信号、アナログ放送を隣接妨害信号とした場合、アナログ放送の妨害信号周波数は、特定可能であるため妨害信号を十分に減衰できるとともに、ＯＦＤＭ復調の際にＲＳ（Read Solomon）符号等の誤り訂正が実行されるため、隣接妨害信号によりデータが変化した場合であっても、デジタル放送の映像や音声が乱れることはほとんど起こらないのが実情である。すなわち、特に隣接妨害信号が問題となるのはアナログ放送受信時の場合である。
【０００７】
本発明は、アナログ放送の受信において、簡易な構成で効果的に隣接妨害の影響を除去することが可能なテレビ放送受信機を提供することを目的とする。
【課題を解決するための手段】
【０００８】
本発明に係るテレビ放送受信機は、入力されたアナログ放送信号を受信するためのアナログチューナと、アナログチューナで受信したアナログ放送信号に対して希望するチャンネル以外の雑音成分を除去する表面弾性波フィルタ部と、表面弾性波フィルタ部で除去されたアナログ放送信号に対して信号処理を実行する信号処理部とを備える。表面弾性波フィルタ部は、希望するチャンネルに隣接するチャンネルがアナログ放送信号である場合には、狭帯域幅で雑音成分を除去し、希望するチャンネルに隣接するチャンネルがデジタル放送信号である場合には、広帯域幅で雑音成分を除去する。
【０００９】
好ましくは、表面弾性波フィルタ部は、アナログチューナの出力信号に対して、狭帯域幅で雑音成分を除去するための第１の表面弾性波フィルタと、アナログチューナの出力信号に対して、広帯域幅で雑音成分を除去するための第２の表面弾性波フィルタと、第１および第２の表面弾性波フィルタとを切り替えるスイッチとを含み、スイッチを制御する制御部をさらに備える。制御部は、希望するチャンネルを選択する際に、隣接するチャンネルが所定のデジタル放送信号である場合には、第１の表面弾性波フィルタを第２の表面弾性波フィルタに切り替える。
【００１０】
好ましくは、表面弾性波フィルタ部は、アナログチューナの出力信号に対して、狭帯域幅で雑音成分を除去するための第１の表面弾性波フィルタと、アナログチューナの出力信号に対して、広帯域幅で雑音成分を除去するための第２の表面弾性波フィルタと、第１および第２の表面弾性波フィルタとを切り替えるスイッチとを含む。入力されたデジタル放送信号を受信するためのデジタルチューナと、スイッチを制御する制御部とをさらに備える。制御部は、アナログ放送信号の希望するチャンネルを選択する際に、デジタルチューナで受信する隣接するチャンネルがデジタル放送信号である場合には、第１の表面弾性波フィルタを第２の表面弾性波フィルタに切り替える。
【発明の効果】
【００１１】
本発明に係るテレビ放送受信機は、希望するチャンネルに隣接するチャンネルがアナログ放送信号である場合には、狭帯域幅で雑音成分を除去し、希望するチャンネルに隣接するチャンネルがデジタル放送信号である場合には、広帯域幅で雑音成分を除去する。したがって、隣接するチャンネルがアナログ信号である場合には、特に近い隣接するチャンネルの妨害信号の振幅レベルが高い場合もあり、十分に減衰させる必要があるため狭帯域幅で雑音成分を除去する。一方、隣接するチャンネルがデジタル信号である場合には、一定振幅の隣接するチャンネルの妨害信号が存在するが、振幅レベルは低いため、広帯域幅で一定の減衰量で雑音成分を除去することにより、簡易な構成で効果的に隣接妨害信号の影響を抑制することができる。
【発明を実施するための最良の形態】
【００１２】
以下、この発明の実施の形態について図面を参照しながら詳細に説明する。なお、図中同一または相当部分には同一符号を付し、その説明は繰り返さない。
【００１３】
図１は、本発明の実施の形態に従うテレビ放送受信機１の概略ブロック図である。
なお、ここでは、アナログ放送のテレビ放送受信機が示されている。
【００１４】
図１を参照して、本発明の実施の形態に従うテレビ放送受信機１は、アナログチューナ５と、ＳＡＷフィルタ（単にＳＡＷＦとも標記する）１０と、ＩＦ検波回路１５と、ビデオスイッチ２０と、ビデオクロマ回路２５と、同期／偏向回路３０と、ディスプレイ３５と、トラップ切り替え回路４０と、制御回路４５と、サウンド検波回路５０と、サウンドスイッチ５５と、サウンド増幅回路６０と、スピーカ６５とを備える。
【００１５】
図示しないアンテナによりアナログ放送電波は、アナログチューナ５に供給される。アナログチューナ５は、チューニングにより指定の希望チャンネルが選択されて中間周波信号に変換する。そして、アナログチューナ５から出力された中間周波信号は、ＳＡＷＦ１０に入力される。ＳＡＷＦ１０は、得られた中間周波信号の隣接チャンネル成分を除去した上でＩＦ検波回路１５に出力する。
【００１６】
ＩＦ検波回路１５は、中間周波信号から映像信号を検波してビデオスイッチ２０に出力する。
【００１７】
ビデオスイッチ２０は、検波された映像信号と外部ビデオ入力すなわちビデオ信号とを切り替えていずれか一方をビデオクロマ回路２５に出力する。
【００１８】
ビデオクロマ回路２５は、検波された映像信号あるいはビデオ信号に対して、クロマ処理を施してＲ（レッド），Ｇ（グリーン），Ｂ（ブルー）の３原色からなるクロマ信号を検出して、ディスプレイ３５に出力する。
【００１９】
また、同期／偏向回路３０は、ビデオクロマ回路２５を介して入力される検波された映像信号あるいはビデオ信号の出力に基づいて同期信号を生成するとともに水平、垂直の偏向信号を作り、電子ビームを偏向してディスプレイ３０内の受像管を正しく走査するように設定する。これにより、ディスプレイ３０の表示画面には、映像信号あるいはビデオ信号に基づいて所期の画像が表示されることになる。
【００２０】
サウンド検波回路５０は、中間周波信号のうちの映像信号以外の音声信号を検波する。
サウンドスイッチ５５は、検波された音声信号と外部音声入力すなわちビデオ音声信号とを切り替えていずれか一方をサウンド増幅回路６０に出力する。
【００２１】
サウンド増幅回路６０は、入力された音声信号を増幅する。増幅された音声信号は、スピーカ６５により外部に報知される。
【００２２】
トラップ切り替え回路４０は、ＳＡＷＦ１０のトラップ特性を切り替える指示信号を出力する。
【００２３】
制御回路４５は、トラップ切り替え回路４０を制御し、トラップ特性を切り替える指示信号を出力するように指示する。なお、トラップ切り替え回路４０に限らず上述した種々の回路についても制御回路４５により制御されているものとする。
【００２４】
図２は、本発明の実施の形態に従うＳＡＷＦ１０の構成を説明する図である。
図２を参照して、本発明の実施の形態に従うＳＡＷＦ１０は、第１のＳＡＷＦユニット１１と、第２のＳＡＷＦユニット１２と、切り替えスイッチ１３とを含む。
【００２５】
本発明の実施の形態に従うＳＡＷＦ１０は、トラップ特性を切り替え可能な構成である。具体的には、第１のＳＡＷＦユニット１１は、狭帯域のトラップ特性を有している。一方、第２のＳＡＷＦユニット１１は、広帯域のトラップ特性を有している。
【００２６】
切り替えスイッチ１３は、制御信号ＣＴに応じてＩＦ検波回路１５との接続を制御する。なお、制御信号ＣＴは、トラップ切り替え回路４０の指示信号である。
【００２７】
図３は、希望信号がアナログ信号で、隣接妨害信号もアナログ信号である場合を説明する図である。
【００２８】
図３を参照して、隣接妨害信号は、上側隣接妨害信号（アナログ）と、下側隣接妨害信号（アナログ）とに分けることができる。本例においては中心の希望信号がＰ，Ｃ，Ｓに対して上側隣接妨害信号ＡＰ’，ＡＣ’，ＡＳ’および下側隣接妨害信号ＡＰ”，ＡＣ”，ＡＳ”として示されている。ここで示されているように希望信号の振幅に対して隣接妨害信号の振幅の方が大きい場合も存在するため特に近い隣接妨害信号に対しては、十分に減衰することが必要となる。また、ここで示されているように、隣接妨害信号がアナログ信号である場合には、その周波数を特定することが可能である。
【００２９】
図４は、希望信号がアナログ信号で、隣接妨害信号がデジタル信号である場合を説明する図である。
【００３０】
図４を参照して、隣接妨害信号は、上側隣接妨害信号（デジタル）と、下側隣接妨害信号（デジタル）とに分けることができる。図４に示されるように、隣接妨害信号がデジタル信号の場合には、特定の周波数に対して隣接妨害信号が存在するのではなく、広帯域に渡って隣接妨害信号が存在することになる。なお、隣接妨害信号（デジタル）の振幅レベルは一定しており隣接妨害信号（アナログ）に比べて低い。
【００３１】
図５は、ＳＡＷフィルタについて狭帯域のトラップ特性を説明する図である。
図５に示されるように、狭帯域のトラップ特性を有するＳＡＷフィルタは、希望信号以外の周波数領域においては減衰度が大きいことがわかる。たとえば、隣接妨害信号として問題となる可能性のある上側隣接妨害信号ＡＳ”あるいは下側隣接妨害信号ＡＰ’が挙げられるが、これらの妨害信号は十分に減衰可能であることがわかる。
【００３２】
図６は、ＳＡＷフィルタについて、広帯域のトラップ特性を説明する図である。
図６に示されるように、広帯域のトラップ特性を有するＳＡＷフィルタは、希望信号以外の周波数領域においては、図５のように隣接妨害信号に対して減衰度は大きくないが、ほぼ一定の減衰量で妨害信号を除去することが可能である。
【００３３】
図７は、本発明の実施の形態に従うＳＡＷＦ１０のトラップ特性を説明する図である。
図７に示されるように、実線の波形は、第１のＳＡＷＦユニット１１のトラップ特性である。一方、点線の波形は、第２のＳＡＷＦユニット１２のトラップ特性である。
【００３４】
本発明の実施の形態においては、ＳＡＷＦ１０のトラップ特性を切り替える。具体的には、図２に示される第１のＳＡＷＦユニット１１と、第２のＳＡＷＦユニット１２とをスイッチ１３により切り替える。
【００３５】
具体的には、隣接妨害信号がアナログ信号である場合には、狭帯域のトラップ特性で妨害信号を除去し、隣接妨害信号がデジタル信号である場合には、広帯域のトラップ特性で妨害信号を除去する。すなわち、隣接妨害信号がアナログ信号である場合には、第１のＳＡＷＦユニット１１を用いて妨害信号を除去する。一方、隣接妨害信号がデジタル信号である場合には、第２のＳＡＷＦユニット１２を用いて妨害信号を除去する。
【００３６】
図３で説明したように隣接妨害信号がアナログ信号である場合には、特に近い隣接妨害信号の振幅レベルが高い場合もあり、十分に減衰させる必要があるため狭帯域のトラップ特性で妨害信号を除去する。一方、隣接妨害信号がデジタル信号である場合には、図４で説明したようにどの周波数においても一定振幅の隣接妨害信号が存在しているが、その振幅レベルは低いため、広帯域のトラップ特性で妨害信号を一定の減衰量で除去することにより、隣接妨害信号の影響を抑制することが可能である。
【００３７】
なお、アナログ放送のアナログチューナ５のみテレビ放送受信機に搭載されている場合、デジタル放送の隣接妨害信号を検知することは難しいが、通常、アナログ放送とデジタル放送とが混在する領域は規格により決まっている。ここでは、各地域において，アナログ放送とデジタル放送の周波数範囲が示されている。
【００３８】
【表１】
2007036382.tif 000003
【００３９】
すなわち、デジタル放送の隣接妨害信号の影響を受けやすいアナログ放送のチャンネルは推定することが可能である。たとえば、現在、デジタル放送は、ＵＨＦの低い帯域に用いられており、境界付近におけるチャンネル選択をする際に、デジタル放送の隣接妨害信号の影響が考えられる。したがって、デジタル放送の隣接妨害信号が考えられる所定のチャンネルが選択された際に、制御部４５がトラップ切り替え回路４０に指示する。トラップ切り替え回路４０は、制御回路４５からの指示に応答して制御信号ＣＴを出力して、狭帯域のトラップ特性を有するＳＡＷＦユニット１１から広帯域のトラップ特性を有するＳＡＷＦユニット１２にトラップ特性を切り替えるように制御する。これにより、アナログ放送受信時において、デジタル放送の隣接妨害信号の影響を除去することが可能となる。  
【００４０】
そして、デジタル放送の隣接妨害信号の影響がないチャンネルが選択された場合には、ＳＡＷＦユニット１２からＳＡＷＦユニット１１にトラップ特性を切り替える。これにより、アナログ放送受信時において、アナログ放送の隣接妨害信号の影響を除去することが可能となる。
【００４１】
図８は、本発明の実施の形態の変形例に従うテレビ放送受信機２の概略ブロック図である。
【００４２】
図８を参照して、本発明の実施の形態の変形例に従うテレビ放送受信機２は、図１のテレビ放送受信機１と比較して、デジタルチューナ７０と、ＳＡＷＦ７５と、ＯＦＤＭ復調回路８０と、デジタル映像復調回路８５と、デジタル音声復調回路９０とをさらに設けた構成である。ここでは、アナログ放送およびデジタル放送いずれかを選択可能なテレビ放送受信機が示されている。なお、アナログ放送については、上述したのでその詳細な説明は繰り返さない。
【００４３】
図示しないアンテナによりデジタル放送のテレビ電波は、デジタルチューナ７０に供給される。デジタルチューナ７０は、チューニングにより指定の希望チャンネルが選択されて中間周波信号に変換する。そして、デジタルチューナ７０から出力された中間周波信号は、ＳＡＷＦ１０に入力される。ＳＡＷＦ１０は、得られた中間周波信号の隣接チャンネル成分を除去した上でＯＦＤＭ復調回路８０にて、ＯＦＤＭ復調が実行される。
【００４４】
そして、ＯＦＤＭ復調回路８０により復調されたデジタル信号は、デジタル映像復調回路８５において復調されてデジタル映像信号としてビデオスイッチ２０に入力される。
【００４５】
また、ＯＦＤＭ復調回路８０により復調されたデジタル信号は、デジタル音声復調回路９０において復調されてデジタル音声信号としてサウンドスイッチ５５に入力される。
【００４６】
そして、ビデオスイッチ２０あるいは、サウンドスイッチ５５において、スイッチの切り替えにより入力が切り替えられてアナログ放送、デジタル放送あるいは外部ビデオ入力のいずれか一方が選択されてディスプレイ３５およびスピーカ６５を用いて所期の画像が表示されるとともに音声が出力される。
【００４７】
このスイッチの切り替えは、制御回路４５の指示に応答して実行されるものとする。
ここで、ＯＦＤＭ復調回路８０から制御回路４５に対してデジタル放送の受信を示す信号が出力される。これにより、選択したチャンネルにおいて、デジタルチューナ７０が隣接妨害信号となるデジタル放送を受信した場合には、制御回路４５は、ＯＦＤＭ復調回路８０からの指示信号の入力に応答して検知が可能である。
【００４８】
したがって、制御回路４５は、ＯＦＤＭ復調回路８０からの指示信号の入力があった場合には、トラップ切り替え回路４０を制御して、ＳＡＷＦ１０のトラップ特性を切り替える。具体的には、上述したように、トラップ切り替え回路４０は、制御回路４５からの指示に応答して制御信号ＣＴを出力して、狭帯域のトラップ特性を有するＳＡＷＦユニット１１から広帯域のトラップ特性を有するＳＡＷＦユニット１２にトラップ特性を切り替えるように制御する。これにより、アナログ放送受信時において、デジタル放送の隣接妨害信号の影響を除去することが可能となる。そして、デジタル放送の隣接妨害信号の影響がないチャンネルが選択された場合には、ＳＡＷＦユニット１２からＳＡＷＦユニット１１にトラップ特性を切り替える。これにより、アナログ放送受信時において、アナログ放送の隣接妨害信号の影響を除去することが可能となる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】本発明の実施の形態に従うテレビ放送受信機１の概略ブロック図である。
【図２】本発明の実施の形態に従うＳＡＷＦ１０の構成を説明する図である。
【図３】希望信号がアナログ信号で、隣接妨害信号もアナログ信号である場合を説明する図である。
【図４】希望信号がアナログ信号で、隣接妨害信号がデジタル信号である場合を説明する図である。
【図５】ＳＡＷフィルタについて狭帯域のトラップ特性を説明する図である。
【図６】ＳＡＷフィルタについて、広帯域のトラップ特性を説明する図である。
【図７】本発明の実施の形態に従うＳＡＷＦ１０のトラップ特性を説明する図である。
【図８】本発明の実施の形態の変形例に従うテレビ放送受信機２の概略ブロック図である。
【符号の説明】
【００５１】
１,２  テレビ放送受信機、５  アナログチューナ、１０  ＳＡＷＦ、１１,１２  ＳＡＷＦユニット、１３  スイッチ、１５  ＩＦ検波回路、２０  ビデオスイッチ、２５  ビデオクロマ回路、３０  同期／偏向回路、３５  ディスプレイ、４０  トラップ切り替え回路、４５  制御回路、５０  サウンド検波回路、５５  サウンドスイッチ、６０  サウンド増幅回路、６５  スピーカ、７０  デジタルチューナ、７５  ＳＡＷＦ、８０  ＯＦＤＭ復調回路、８５  デジタル映像復調回路、９０  デジタル音声復調回路。
【図１】
2007036382.tif 000004
【図２】
2007036382.tif 000005
【図３】
2007036382.tif 000006
【図４】
2007036382.tif 000007
【図５】
2007036382.tif 000008
【図６】
2007036382.tif 000009
【図７】
2007036382.tif 000010
【図８】
2007036382.tif 000011